(57)【要約】【課題】  斜面崩落対策工のロックボルト工法においてモルタル又はコンクリート吹き付けに使用され、ロックボルトに対して台座が確実に直角方向に設置でき、台座表面のこて仕上げが楽であるロックボルト用の台座型枠を提供すること。【解決手段】  斜面を安定させるロックボルト工法においてモルタル又はコンクリート吹き付けに使用させるロックボルト用の台座型枠において、台座型枠５は直方体形状を成し、直方体の綾辺を形成する枠金５ａと、上下平面を四角形に形成して四角形の四隅を結ぶ対角線の枠金５ｂと、その対角線の交差する中心部に形成したロックボルトを通過させる円形枠金５ｃとから成り、少なくとも三側面に矩形に形成されたクリンプ金網５ｄを備えて、台座型枠５の直方体の垂直綾辺の垂直枠金５ａは直方体から下方に突き出していることを特徴とする。【選択図】    図１
2006169733.tif 000002
【特許請求の範囲】
【請求項１】
斜面を安定させるロックボルト工法においてモルタル又はコンクリート吹き付けに使用させるロックボルト用の台座型枠において、台座型枠は直方体形状を成し、直方体の綾辺を形成する枠金と、上下平面を四角形に形成して四角形の四隅を結ぶ対角線の枠金と、その対角線の交差する中心部に形成したロックボルトを通過させる円形枠金とから成り、少なくとも三側面に矩形に形成されたクリンプ金網を備えることを特徴とする台座型枠。
【請求項２】
台座型枠の直方体の垂直綾辺の垂直枠金は直方体から下方に突き出していることを特徴とする請求項１に記載の台座型枠。
【発明の詳細な説明】
【技術分野】
【０００１】
この発明は、斜面を安定させるロックボルト工法においてモルタル又はコンクリート吹き付けに使用させるロックボルト用の台座型枠に関する。
【背景技術】
【０００２】
従来から斜面を安定させる工法には種々の工法があり、ロックボルト工と表面保護工とを組み合わせた斜面安定工法（特許文献１）が開発されていた。崩落を起し易い不安定な地山などはロックボルトによる表面補強工法によって補強されることがあり、従来の補強工法は、地山の表面に形成するボルト穴にロックボルトを挿入してグラウト材を注入し、ロックボルトの先端に支圧板をねじ止めする。なお、支圧板は地山の表面に隙間なく密着させ、しかも、ロックボルトに対して正しく直角に配置することが必要である。支圧板と地山の表面との間に隙間があると、地山の補強効果が発揮されず、ロックボルトに対して支圧板が傾くと、ロックボルトの強度が低下し、ロックボルトの早期破断を招くおそれがあるからである。そこで、支圧板は、既成の台座を地山の表面との間に介装したり、ベベルワッシャをナットとの間に介装したりする他、地山の表面を削って整形したり、地山の表面との間にセメントモルタルを充填したりして、正しい姿勢に定着させる必要がある。
【０００３】
これら従来技術は、地山の表面を削ったり、支圧板と地山の表面との間にセメントモルタルを充填したりすることは、工事が厄介であり、工費が過大になりがちである。ロックボルトに対して正しく直角に配置し、長期に亙って地山を安定に補強する工法が提案されている（特許文献２）。
【０００４】
従来のロックボルト用孔型枠では、コンクリートを吹き付けたときに、空気が孔型枠の管壁を通して抜けないため、コンクリート中に空気を巻き込み、部分的に巣の状態になりやすかった。孔型枠の取付け作業が容易で位置ずれを起こすことなく強固に固定可能なロックボルト施工工法も提供されていて、ロックボルト用孔型枠が金網等の多孔材から成るものであった（特許文献３）。
【特許文献１】特開昭５８−１９５６２７号公報
【特許文献２】特開平１０−３０６６９９号公報
【特許文献３】特開２００２−５４１５１号公報
【発明の開示】
【発明が解決しようとする課題】
【０００５】
この発明の課題は、斜面崩落対策工のロックボルト工法においてモルタル又はコンクリート吹き付けに使用され、ロックボルトに対して台座が容易且つ確実に直角方向に設置でき、台座表面のこて仕上げが楽であるロックボルト用の台座型枠を提供することである。
【課題を解決するための手段】
【０００６】
この発明は、斜面を安定させるロックボルト工法においてモルタル又はコンクリート吹き付けに使用させるロックボルト用の台座型枠において、台座型枠は直方体形状を成し、直方体の綾辺を形成する枠金と、上下平面を四角形に形成して四角形の四隅を結ぶ対角線の枠金と、その対角線の交差する中心部に形成したロックボルトを通過させる円形枠金とから成り、少なくとも三側面に矩形に形成されたクリンプ金網を備えることにより、達成される。    
【０００７】
この発明は、台座型枠の直方体の垂直綾辺の垂直枠金は直方体から下方に突き出していることを特徴とする。
【発明の効果】
【０００８】
この発明のロックボルト用の台座型枠によると、斜面崩落対策工においてロックボルトに対して台座が容易かつ確実に直角方向に設置でき、台座表面のこて仕上げが楽である。また、吹き付けコンクリートと台座が一体化されたエンギリ部がなく均一な強度を得ることができる。さらに、角度調整治具の必要がない。
【０００９】
この発明のロックボルト用の台座型枠によると、台座型枠の直方体から下方に突き出している垂直綾辺の垂直枠金は、地面に差し込み設置固定することに役立ち、吹き付け圧により台座型枠がずれる移動を防止できる。
【００１０】
この発明のロックボルト用の台座型枠によると、金網等の開口部の多い構成であるから、台座型枠の外側にモルタル又はコンクリートを吹き付けたときに、開口部を通して空気が型枠の内側に抜けるため、型枠内では密実な構造体となる。また、台座型枠の一側面には金網が張ってない場合には、その側面の開口部からモルタル又はコンクリートを吹き付けると、スムーズに吹付け作業が可能である。さらに、吹付け作業と同時工程で台座を作成できるため、作業効率が良い。
【発明を実施するための最良の形態】
【００１１】
次に、この発明は、図面に基づいて詳細に説明する。図１はこの発明のロックボルト用の台座型枠の平面図と側面図を示し、図２はこの発明のロックボルト用の台座型枠をモルタル又はコンクリート吹き付けに使用された状態を示す。
【実施例】
【００１２】
図１に示される如く、この発明の台座型枠５は、直方体形状を成し、その直方体の綾辺を形成する枠金５ａと、上下平面を正方形、長方形、菱形等の四角形に形成して四角形の四隅を結ぶ対角線の枠金５ｂと、その対角線５ｂの交差する中心部に形成したロックボルト１を通過させる円形枠金５ｃとからなり、すくなくとも三側面を矩形に形成されたクリンプ金網５ｄを備えており、台座型枠５の直方体の垂直綾辺の垂直枠金５ａは直方体から下方に突き出している下方突出端５ｅを有する。このクリンプ金網５ｄは側面全体に張りめぐらされても良い。
【００１３】
この台座型枠５の一側面には金網が張ってないので、この側面の開口部からモルタル又はコンクリートを吹き付けると、スムーズにモルタル又はコンクリートを型枠５内に供給できる吹付け作業を可能とする。下方突出端５ｅは台座型枠５を地山の表面に設置する場合に地面に差し込み、台座型枠５を地山の斜面に固定できる。
【００１４】
この発明のロックボルト施工法によると、図２に開示される如く、最初に地山の斜面にロックボルト１を自穿孔にて打設した後にグラウト材２が削孔穴６内に注入される。或いは挿立て用の削孔穴６が形成され、次に該削孔穴６内にロックボルト１を打設した後にグラウト材２が注入される。このロックボルト１は長手方向における適当な箇所にスペーサー３を備えている。
【００１５】
グラウト材２を養生硬化させてグラウト層となし、ロックボルト１の定着用部を層に一体に結合できる。さらに、グラウト層の目視確認と必要によってはグラウト材２の補充充填を行う。次に、ロックボルト１の定着用部の外周りに台座型枠５を取り付ける。
【００１６】
この場合に台座型枠５の上下平面の枠金円形部５ｃをロックボルト１に挿入するので、台座型枠５がロックボルトに対して確実に直角方向に設置でき、次に、メッキ付角座金８とワッシャ９がロックボルトに挿入されてその台座型枠５の上面に設置した後に、コマナット４をねじ締めして固定する。その後にキャップ７を取り付けてから、コンクリート吹き付けが行われて、台座型枠５が定着される。  
【００１７】
この台座型枠５は枠金とクリンプ金網５ｄとから成るので、モルタル又はコンクリート吹き付けによって枠金やクリンプ金網５ｄの目から台座型枠５内にモルタル又はコンクリートが入って、モルタル又はコンクリートと台座が一体化されるので、エンギリ部がなく、均一な強度を得ることが出来る。また、台座表面のコテ仕上げが楽である。
【００１８】
台座型枠５の下部には垂直枠金５ａが直方体から下方に突き出している下方突出端５ｅを有するので、地面に差込むことで吹き付け圧により台座型枠５がずれる移動を防止できる。                                                                                  
【００１９】
コマナット４の半力面を座金の球面と対応させたので、取り付け作業が確実にできる。ロックボルト１はねじ節棒鋼に防食処理を施したものである。                        
【図面の簡単な説明】
【００２０】
【図１】この発明のロックボルト用の台座型枠の平面図と側面図を示す。
【図２】この発明のロックボルト用の台座型枠をコンクリート吹き付けに使用された状態を示す。
【符号の説明】
【００２１】
１．．．．．ロックボルト
２．．．．．グラウト材
３．．．．．スペーサー
４．．．．．コマナット
５．．．．．台座型枠
５ａ．．．．垂直枠金
５ｂ．．．．対角線枠金
５ｃ．．．．円形枠金
５ｄ．．．．クリンプ金網
５ｅ．．．．下方突出端
６．．．．．削孔穴
７．．．．．キャップ
８．．．．．メッキ付角座金
９．．．．．ワッシャ
【図１】
2006169733.tif 000003
【図２】
2006169733.tif 000004
【手続補正書】
【提出日】平成16年12月17日(2004.12.17)
【手続補正１】
【補正対象書類名】明細書
【補正対象項目名】０００８
【補正方法】変更
【補正の内容】
【０００８】
この発明のロックボルト用の台座型枠によると、斜面崩落対策工においてロックボルトに対して台座が容易かつ確実に直角方向に設置でき、台座表面のこて仕上げが楽である。また、吹き付けられたモルタル又はコンクリートと台座が一体化されたエンギリ部がなく均一な強度を得ることができる。さらに、角度調整治具の必要がない。
【手続補正２】
【補正対象書類名】図面
【補正対象項目名】図１
【補正方法】変更
【補正の内容】
【図１】
2006169733.tif 000005